(57)【要約】【課題】ワンタッチで組み立て、バイアルその他のボトル形の容器を容易に包装する。【解決手段】仕切り２は、正面側の底蓋片１６１に連続して立ち上げられる立ち上がり部２１と、立ち上がり部２１に連続して正面１２に向けて延び、略環状の係合部２２０を有する平面部２２と、平面部２２に連続し、正面１２に接着固定される固定部２３と、正面側の底蓋片１６１から延び、立ち上がり部２１の開放部２１０を通して、正面側、背面側の各底蓋片１６１、１６２に跨って配置される受け皿片２４とを有し、箱１が仕切り２とともにワンタッチで折り畳み可能にかつ組み立て可能に構成される。【選択図】図１
2014005051.tif 000002
【特許請求の範囲】
【請求項１】
４つの側面、天蓋及び底蓋を有し、全体が略直方体形状をなす箱と、前記箱の内部に設置され、ボトル形の容器の外周に沿って保持可能な略環状の係合部を有する緩衝用の仕切りとを備え、ボトル形の容器を外部の衝撃から保護する緩衝機能付き包装用箱において、
前記箱の底蓋は、組み立て状態で、前記４つの側面のうち相互に対向する２つの側面にそれぞれ折れ線を介して延出される２つの底蓋片と、前記２つの側面間の他の各側面から折れ線を介して延出され、前記各底蓋片に接着固定するための接着片を有する２つのフラップとを有し、前記一方の底蓋片の外側面に前記一方のフラップが前記接着片を介して接着固定され、前記他方の底蓋片の外側面に前記他方のフラップが前記接着片を介して接着固定されてなり、
前記緩衝用の仕切りは、前記一方の底蓋片の端部に一体的に形成され、組み立て状態で、前記一方の底蓋片に連続して立ち上げられ、当該底蓋片から高さ方向に開放部を有する立ち上がり部と、前記立ち上がり部に連続して前記一方の底蓋片が延出される前記一方の側面に向けて延び、略環状に切り欠かれて又は略環状に切り欠き可能に形成されてなる略環状の係合部を有する平面部と、前記平面部に連続し、前記一方の側面に接着固定される固定部と、前記一方の底蓋片又は前記他方の底蓋片から延び、前記立ち上がり部の前記開放部を通して、前記一方の底蓋片及び前記他方の底蓋間に跨って配置される受け皿片とを有し、
前記箱が前記仕切りとともにワンタッチで前記底蓋の一方の対角線に沿って折り畳み可能にかつ組み立て可能に構成される、
ことを特徴とする包装用箱。
【請求項２】
受け皿片は一方の底蓋片に連続し立ち上がり部の開放部の面内に他方の底蓋片に向けて延出可能に形成される請求項１に記載の包装用箱。
【請求項３】
受け皿片は一方の底蓋片に連続し、立ち上がり部の開放部を通して、他方の底蓋片が延出される側面に圧接可能に延出され、当該延出端に前記側面に沿って接触可能に圧接面を有する請求項２に記載の包装用箱。
【請求項４】
受け皿片は他方の底蓋片に連続し立ち上がり部の開放部を通して一方の底蓋片に向けて延出可能に形成される請求項１に記載の包装用箱。
【請求項５】
受け皿片に立ち上がり部の開放部縁部に係合可能なロック爪を有する請求項４に記載の包装用箱。
【請求項６】
立ち上がり部の開放部はボトル形の容器を挿通可能に形成され、環状の係合部は平面部に前記開放部に連通しボトル形の容器の胴部又は首部に沿って係合可能に形成される請求項１乃至５のいずれかに記載の包装用箱。
【請求項７】
環状の係合部は平面部にボトル形の容器の押圧で破断可能に破断線によりボトル形の容器の胴部が嵌合可能な形状に形成される請求項１乃至５のいずれかに記載の包装用箱。
【発明の詳細な説明】
【技術分野】
【０００１】
本発明は、緩衝機能付き包装用箱に関し、特に、バイアルなどのボトル形の容器を包装するのに使用する緩衝機能付き包装用箱に関する。
【背景技術】
【０００２】
バイアルは、通常、ガラス製で破損しやすいため、緩衝機能付きの包装用箱に収納されて包装される。
図７にこの種の包装用箱を示している。図７に示すように、この包装用箱７は、外箱７１と、外箱７１の内部に収容、設置される内箱７２とから構成される。これら外箱７１、内箱７２はいずれも厚紙からなる基材を所定の形状に折り畳み、所定の箇所を接着又は差し込みして形成される。この場合、内箱７２はバイアルを外部の衝撃から保護するための緩衝用の箱で、全体が略直方体状に形成され、上面にバイアルの大きさや形状に応じた開口７２０などバイアルの外周に沿って保持可能な略環状の係合部が設けられる。
このようにしてバイアルは内箱７２の略環状の係合部内に保持され、この内箱７２が外箱７１の中に収容されて包装される。
この種の緩衝機能付きの包装用箱は例えば特許文献１により提案されている。
【先行技術文献】
【特許文献】
【０００３】
【特許文献１】特開平０７−３００１５６号公報
【発明の概要】
【発明が解決しようとする課題】
【０００４】
しかしながら、上記従来の包装用箱では、次のような問題がある。
（１）外箱と緩衝用の内箱とからなるため、各箱を各別に組み立てて、バイアルを内箱に略環状の係合部に嵌め込んで収納した後、この内箱を外箱に収容するので、箱の組み立て、バイアルの包装が煩雑で、包装作業に多くの時間を要し、コストが増大する。
（２）外箱と緩衝用の内箱とからなるために、保管、管理がし難い。
【０００５】
本発明は、このような従来の問題を解決するもので、この種の緩衝機能付き包装用箱において、ワンタッチで組み立て、バイアルその他のボトル形の容器を容易に包装できるようにすること、折り畳みが容易で、保管、管理をしやすくすること、製造面で自動貼りが可能で、仕上がりの安定とコストの低減を図ることなど、を目的とする。
【課題を解決するための手段】
【０００６】
上記目的を達成するために、本発明の緩衝機能付き包装用箱は、４つの側面、天蓋及び底蓋を有し、全体が略直方体形状をなす箱と、前記箱の内部に設置され、ボトル形の容器の外周に沿って保持可能な略環状の係合部を有する緩衝用の仕切りとを備え、ボトル形の容器を外部の衝撃から保護する緩衝機能付き包装用箱において、前記箱の底蓋は、組み立て状態で、前記４つの側面のうち相互に対向する２つの側面にそれぞれ折れ線を介して延出される２つの底蓋片と、前記２つの側面間の他の各側面から折れ線を介して延出され、前記各底蓋片に接着固定するための接着片を有する２つのフラップとを有し、前記一方の底蓋片の外側面に前記一方のフラップが前記接着片を介して接着固定され、前記他方の底蓋片の外側面に前記他方のフラップが前記接着片を介して接着固定されてなり、前記緩衝用の仕切りは、前記一方の底蓋片の端部に一体的に形成され、組み立て状態で、前記一方の底蓋片に連続して立ち上げられ、当該底蓋片から高さ方向に開放部を有する立ち上がり部と、前記立ち上がり部に連続して前記一方の底蓋片が延出される前記一方の側面に向けて延び、略環状に切り欠かれて又は略環状に切り欠き可能に形成されてなる略環状の係合部を有する平面部と、前記平面部に連続し、前記一方の側面に接着固定される固定部と、前記一方の底蓋片又は前記他方の底蓋片から延び、前記立ち上がり部の前記開放部を通して、前記一方の底蓋片及び前記他方の底蓋間に跨って配置される受け皿片とを有し、前記箱が前記仕切りとともにワンタッチで前記底蓋の一方の対角線に沿って折り畳み可能にかつ組み立て可能に構成される、ことを要旨とする。
また、この包装用箱は、次のような構成を併せて備えることが好ましい。
（１）受け皿片は一方の底蓋片に連続し立ち上がり部の開放部の面内に他方の底蓋片に向けて延出可能に形成される。
この場合、受け皿片は一方の底蓋片に連続し、立ち上がり部の開放部を通して、他方の底蓋片が延出される側面に圧接可能に延出され、当該延出端に前記側面に沿って接触可能に圧接面を有する。
（２）受け皿片は他方の底蓋片に連続し立ち上がり部の開放部を通して一方の底蓋片に向けて延出可能に形成される。
この場合、受け皿片に立ち上がり部の開放部縁部に係合可能なロック爪を有する。
（３）立ち上がり部の開放部はボトル形の容器を挿通可能に形成され、環状の係合部は平面部に前記開放部に連通しボトル形の容器の胴部又は首部に沿って係合可能に形成される。
（４）環状の係合部は平面部にボトル形の容器の押圧で破断可能に破断線によりボトル形の容器の胴部が嵌合可能な形状に形成される。
【発明の効果】
【０００７】
本発明の緩衝機能付き包装用箱によれば、上記の構成により、箱と箱内部の緩衝用の仕切りがワンタッチで底蓋の一方の対角線に沿って折り畳み可能にかつ組み立て可能に構成されるので、箱を箱内部の緩衝用の仕切りとともにワンタッチで組み立て、バイアルその他のボトル形の容器を容易に包装することができ、また、箱、緩衝用の仕切りの折り畳みを容易にして、保管、管理をしやすくすることができ、さらに、製造面でも自動貼りが可能で、仕上がりの安定とコストの低減を図ることができる、などの効果を奏する。
【図面の簡単な説明】
【０００８】
【図１】本発明の一実施の形態における緩衝機能付き包装用箱の箱及び仕切りの構成を箱の内部を透視して示す斜視図
【図２】同包装用箱を構成する箱形成部材を展開して示す図
【図３】同包装用箱の作用を示す図
【図４】同包装用箱の構成の一部を変更した箱形成部材を展開して示す図
【図５】同包装用箱の構成の一部をさらに異なる構成に変更した箱形成部材を展開して示す図
【図６】同包装用箱の箱及び仕切りの構成の一部をさらに異なる構成に変更し、箱の内部を透視して示す斜視図（図５の箱形成部材の組み立て後の箱及び仕切りの斜視図）
【図７】従来の緩衝機能付き包装用箱の構成を示す斜視図
【発明を実施するための形態】
【０００９】
次に、この発明を実施するための形態について図を用いて説明する。
なお、この実施の形態では、バイアルを個別に包装するのに使用するバイアル１本入りの緩衝機能付き包装用箱として例示している。
【００１０】
図１に示すように、緩衝機能付き包装用箱Ｂ（以下、単に包装用箱Ｂという。）は、箱１と、箱１の内部に設置され、バイアルの外周に沿って保持可能な略環状の係合部２２０を有する緩衝用の仕切り２とを備え、バイアルを外部の衝撃から保護するようになっている。
【００１１】
箱１は４つの側面１１、１２、１３、１４、天蓋１５及び底蓋１６を有し、全体が略直方体形状をなす。この箱１の場合、底蓋１６が、組み立て状態で、４つの側面１１、１２、１３、１４のうち相互に対向する２つの側面１２、１４（以下、正面１２、背面１４という。）にそれぞれ折れ線を介して延出される２つの底蓋片１６１、１６２（以下、正面側の底蓋片１６１、背面側の底蓋片１６２という。）と、これら正面１２、背面１４間の他の各側面１１、１３（以下、左側面１１、右側面１３という。）から折れ線を介して延出され、正面側、背面側の各底蓋片１６１、１６２に接着固定するための接着片１６４、１６６を有する２つのフラップ１６３、１６５（図２参照。以下、左側のフラップ１６３、右側のフラップ１６５という。）とを有し、正面側の底蓋片１６１の外側面に左側のフラップ１６３が接着片１６４を介して接着固定され、背面側の底蓋片１６２の外側面に右側のフラップ１６５が接着片１６６を介して接着固定されてなる。
【００１２】
緩衝用の仕切り２は、正面側の底蓋片１６１の端部に一体的に形成され、組み立て状態で、正面側の底蓋片１６１に連続して立ち上げられ、正面側の底蓋片１６１から高さ方向に開放部２１０を有する略長方形の立ち上がり部２１と、この立ち上がり部２１に連続して正面側の底蓋片１６１が延出される正面１２に向けて延び、略環状に切り欠かれてなる略環状の係合部２２０を有する略四角形の平面部２２と、この平面部２２に連続し、正面１２の内側面に接着固定される略長方形の固定部２３と、正面側の底蓋片１６１から延び、立ち上がり部２１の開放部２１０を通して、正面側及び背面側の各底蓋片１６１、１６２間に跨って配置される略長方形の受け皿片２４とを有する。
この仕切り２の場合、立ち上がり部２１の開放部２１０はバイアルを挿通可能に略長方形に切り欠き形成され、環状の係合部２２０は平面部２２に開放部２１０に連通して、バイアルの胴部に沿って係合可能に、この場合、略円弧状に形成される。
また、受け皿片２４は正面側の底蓋片１６１の端部に連続し立ち上がり部２１の開放部２１０の面内に背面側の底蓋片１６２に向けて延出可能に形成される。この場合、受け皿片２４は正面側の底蓋片１６１の端部から連続し、立ち上がり部２１の開放部２１０を通して、背面側の底蓋片１６２が延出される背面１４の内側面に圧接可能に延出され、その延出端に背面１４の内側面に沿って接触可能に圧接面２４１が設けられる。
【００１３】
このようにして箱１が仕切り２とともにワンタッチで底蓋１６の一方の対角線に沿って折り畳み可能にかつ組み立て可能に構成される。
【００１４】
この箱１は仕切り２とともに、図２に示す一枚のブランクシートから一体的に打ち抜かれて形成された箱形成部材Ｐ１からなる。この箱形成部材Ｐ１は、相互に平行に折れ線Ｌ１、Ｌ２、Ｌ３を介して連接して形成され、組み立て状態で４側面（左側面１１、正面１２、右側面１３、背面１４）をなす略長方形の４側面形状部Ｐ１１、Ｐ１２、Ｐ１３、Ｐ１４及びその一方の側縁、この場合、左側面形状部Ｐ１１の側縁に折れ線Ｌ４を介して形成され、組み立て状態で接着片１１１をなす帯状の接着片形状部Ｐ１１１と、４側面形状部Ｐ１１、Ｐ１２、Ｐ１３、Ｐ１４のうち相互に対向する２側面形状部Ｐ１１、Ｐ１３（左側面形状部Ｐ１１、右側面形状部Ｐ１３）の一端、この場合、上端にそれぞれ折れ線Ｌ５、Ｌ６を介して形成され、組み立て状態で左側、右側のフラップ１５３、１５４をなす略台形の左側、右側のフラップ形状部Ｐ１５３、Ｐ１５４、下端にそれぞれ折れ線Ｌ７、Ｌ８を介して形成され、組み立て状態で左側、右側のフラップ１６３、１６５をなす左側、右側のフラップ形状部Ｐ１６３、Ｐ１６５、及びこれら左側、右側のフラップ形状部Ｐ１６３、Ｐ１６５の右側一方の斜辺にそれぞれ折れ線Ｌ９、Ｌ１０を介して形成され、組み立て状態で接着片１６４、１６６をなす略台形の接着片形状部Ｐ１６４、Ｐ１６６と、これら左側面形状部Ｐ１１、右側面形状部Ｐ１３とは別の他の２側面形状部、すなわち正面形状部Ｐ１２及び背面形状部Ｐ１４又はそのいずれか一方の一端、この場合、背面形状部Ｐ１４の上端に折れ線Ｌ１１を介して形成され、組み立て状態で天蓋１５の天蓋本体１５１をなす、一端に折れ線Ｌ１２を介して差し込み片形状部Ｐ１５２（差し込み片１５２）を有する略長方形の天蓋本体形状部Ｐ１５１、及び正面、背面の各形状部Ｐ１２、Ｐ１４の下端にそれぞれ折れ線Ｌ１３、Ｌ１４を介して形成され、組み立て状態で底蓋片１６１、１６２をなす略台形の底蓋形状部Ｐ１６１、Ｐ１６２と、一方の底蓋形状部、この場合、正面側の底蓋片形状部Ｐ１６１の端部に折れ線Ｌ１５を介して形成され、組み立て状態で正面側の底蓋片１６１の端部に連続して立ち上げられ、正面側の底蓋片１６１から高さ方向に開放部２１０を有する立ち上がり部２１をなす略長方形の立ち上がり部形状部Ｐ２１と、この立ち上がり部形状部Ｐ２１に折れ線Ｌ１６を介して連続し、組み立て状態で正面側の底蓋片１６１が延出される正面１２に向けて延び、略環状に切り欠かれて形成されてなる略環状の係合部２２０を有する平面部２２をなす略長方形の平面部形状部Ｐ２２と、この平面部形状部Ｐ２２に折れ線Ｌ１７を介して連続し、組み立て状態で正面１２の内側面に接着固定される固定部２３をなす略長方形の固定部形状部Ｐ２３と、正面側の底蓋片形状部Ｐ１６１から延び、組み立て状態で立ち上がり部２１の開放部２１０を通して、各底蓋片１６１、１６２間に跨って配置される受け皿片２４をなす略長方形の受け皿片形状部Ｐ２４とを有する。
この箱形成部材Ｐ１の場合、受け皿片形状部Ｐ２４は正面側の底蓋片形状部Ｐ１６１の端部に連続して立ち上がり部形状部Ｐ２１の開放部２１０の面内に、組み立て状態で背面側の底蓋片１６２に向けて延出可能に形成される。この場合、受け皿片形状部Ｐ２４は正面側の底蓋片形状部Ｐ１６１から連続して、組み立て状態で立ち上がり部２１の開放部２１０を通して、背面１４に圧接可能に延出され、当該延出端に折れ線Ｌ１８を介して背面１４の内側面に沿って接触可能な圧接面２４１をなす圧接面形状部Ｐ２４１を有する。
また、この箱形成部材Ｐ１の場合、立ち上がり部形状部Ｐ２１の開放部２１０は、組み立て状態でバイアルを挿通可能に縦に長い略長方形に形成され、平面部形状部Ｐ２２の環状の係合部２２０は、組み立て状態で開放部２１０に連通しバイアルの胴部に沿って係合可能に、この場合、略円弧状に形成される。
さらに、この箱形成部材Ｐ１の場合、正面形状部Ｐ１２の上端部縁部に略台形の破断線Ｃがミシン目により形成される。
【００１５】
このような構成からなる箱形成部材Ｐ１は各部が次のように折り曲げられ、所定の箇所が接着されて、箱１とともに箱１の内部に仕切り２が組み立てられる。この箱形成部材Ｐ１の組み立てについて図１、図２を用いて説明する。
図２において、まず、固定部形状部Ｐ２３が平面部形状部Ｐ２２に対して折れ線Ｌ１７を介して内側に向けて直角に折り曲げられ、固定部２３が形成される。次に、平面部形状部Ｐ２２が立ち上がり部形状部Ｐ２１に対して折れ線Ｌ１６を介して内側に向けて直角に折り曲げられ。平面部２２が形成される。続いて、立ち上がり部形状部Ｐ２１が正面側の底蓋片形状部Ｐ１６１に対して折れ線Ｌ１５を介して内側に向けて直角に折り曲げられ、立ち上がり部２１が形成される。
このようにして平面部２２が正面形状部Ｐ１２に対して直角となるように固定部２３の外側面が正面形状部Ｐ１２の内側面の所定の位置に合わせられ、固定部２３の外側面と正面形状部Ｐ１２の内側面が接着剤を介して接着固定される。これにより仕切り２が正面形状部Ｐ１２の内側面及び正面側の底蓋片形状部Ｐ１６１の内側面上に組み立てられる。
そして、接着片形状部Ｐ１１１が左側面形状部Ｐ１１に対して折れ線Ｌ４を介して内側に向けて直角に折り曲げられ、接着片１１１が形成される。次に、左側面形状部Ｐ１１が正面形状部Ｐ１２に対して折れ線Ｌ１を介して内側に向けて直角に折り曲げられ、左側面１１が形成される。続いて、正面形状部Ｐ１２が右側面形状部Ｐ１３に対して折れ線Ｌ２を介して内側に向けて直角に折り曲げられ、正面１２が形成される。次いで、右側面形状部Ｐ１３が背面形状部Ｐ１４に対して折れ線Ｌ３を介して内側に向けて直角に折り曲げられ、右側面１３、背面１４がそれぞれ形成される。次いで、正面側、背面側の各底蓋片形状部Ｐ１６１、Ｐ１６２がそれぞれ、正面１２、背面１４に対して折れ線Ｌ１３、Ｌ１４を介して内側に向けて直角に折り曲げられ、正面側、背面側の各底蓋片１６１、１６２が形成される。次いで、左側面１１、右側面１３の左側、右側のフラップ形状部Ｐ１６３、Ｐ１６５がそれぞれ、左側面１１、右側面１３に対して折れ線Ｌ７、Ｌ８を介して内側に向けて折り曲げられ、左側、右側のフラップ１６３、１６５が形成される。
このようにして左側面１１の側縁の接触片１１１の上に背面１４が重合され、接触片１１１の外側面と背面１４の内側面が接着剤を介して接着固定され、正面側の底蓋片１６１の外側面に左側のフラップ１６３が接着片１６４を介して接着固定され、背面側の底蓋片１６２の外側面に右側のフラップ１６５が接着片１６６を介して接着固定される。これにより箱１は断面略四角形の筒形に底蓋１６を閉塞して組み立てられ、箱１の上の左側、右側のフラップ形状部Ｐ１５３、Ｐ１５４、天蓋本体形状部Ｐ１５１は左右の各側面１１、１３、背面１４の各面の各端部の延長上に延ばされた状態となる。そして、この組み立て途中の箱１は仕切り２とともに箱１の相互に対向する所定の２箇所の折れ線Ｌ１、Ｌ３を折り畳み中心にしてワンタッチで底蓋１６の一方の対角線に沿って略扁平状に折り畳まれ、この状態で、バイアルを包装する工場などに出荷される。
次いで、バイアルを包装する工場では、この組み立て途中の箱１が次のようにして組み立てられ、バイアルが収容された後、他の必要な箇所が接着固定される。なお、この説明については図１、図２を参照する。
まず、箱１は、扁平状に折り畳まれた状態から、４側面がワンタッチで起こされて、箱１とともに仕切り２が組み立てられる。この場合、箱１の４側面が起こされると、同時に、底蓋１６の正面側、背面側の各底蓋片１６１、１６２が左側、右側のフラップ１６３、１６５とともに４側面１１、１２、１３、１４に対して直角に起こされて、底蓋１６が形成され、これら底蓋片１６１、１６２に連動して、箱１の内部で、正面側の底蓋片１６１上で立ち上がり部２１が立ち上げられるとともにこの立ち上がり部２１の上部で平面部２２が正面１２に対して直角に延ばされ、また、受け皿片２４が正面側の底蓋片１６１の端部から立ち上がり部２１の開放部２１０を通して、背面側の底蓋１６２上を背面１４の内側面まで延出してその延出端の圧接面２４１で圧接し、仕切り２が組み立てられる。
続いて、この箱１の中に、バイアルが箱１の天面の開口を通して収容される。この場合、バイアルは底部から箱１の中に挿入され、仕切り２の平面部２２の略環状の係合部２２０に嵌め込まれて収容される。これにより、バイアルは胴部が略環状の係合部２２０に係合され、底部が受け皿片２４の上に載せられる。
このバイアルの収容後、箱１の天面の開口が天蓋１５により閉じられる。この場合、左側面１１、右側面１３の左側、右側のフラップ形状部Ｐ１５３、Ｐ１５４が折れ線Ｌ５、Ｌ６を介して天面の開口上に折り曲げられて左側、右側のフラップ１５３、１５４が形成され、その上に、天蓋本体形状部Ｐ１５１が折れ線Ｌ１１を介して折り曲げられて天蓋１５１が形成される。そして、天蓋本体部１５１の一端の差し込み片１５２が折れ線Ｌ１２を介して折り曲げられて正面１２の内側に差し込まれる。この差し込み片１５２は正面１２の内側で破断線Ｃに囲まれた部分に接着剤を介して接着固定される。これにより、天面の開口が閉塞される。
このようにしてバイアルが包装用箱Ｂに包装される。そして、この包装用箱Ｂに包装それたバイアルの出荷、搬送の際に、箱１の中でバイアルは胴部が仕切り２の略環状の係合部２２０に保持され、底部が受け皿片２４に支持されているので、そのガタツキが防止され、また、立ち上がり部２１、平面部２２によりバイアルの外周に形成された緩衝空間の緩衝作用と、バイアルの底部と箱１の底蓋１６との間に介在された受け皿片２４の緩衝作用により、外部の衝撃から保護される。
【００１６】
以上説明したように、この包装用箱Ｂによれば、上記の各構成により、箱１と箱１内部の緩衝用の仕切り２がワンタッチで底蓋１６の一方の対角線に沿って折り畳み可能にかつ組み立て可能に構成されるので、箱１を箱１内部の緩衝用の仕切り２とともにワンタッチで簡単に組み立てることができ、また、箱１、緩衝用の仕切り２の折り畳みを容易にして、保管、管理をしやすくすることができ、さらに、製造面でも自動貼りが可能で、仕上がりの安定とコストの低減を図ることができる。また、バイアルを包装するときは、バイアルを箱１の中の仕切り２に軽く押し込むだけなので、バイアルのセットを容易に行うことができる。
また、この包装用箱Ｂでは、箱１の中でバイアルの胴部を仕切り２の略環状の係合部２２０により保持し、底部を受け皿片２４によって支持するので、図３に示すように、バイアルのガタツキを確実に防止し、また、立ち上がり部２１、平面部２２によりバイアルの外周に形成された緩衝空間の緩衝作用と、バイアルの底部と箱１の底蓋１６との間に介在された受け皿片２４の緩衝作用により、バイアルを外部の衝撃から確実に保護することができる。
【００１７】
また、上記実施の形態の包装用箱Ｂは、仕切り２の平面部２２が次のように変更可能である。
上記の実施の形態では、平面部２２に略環状の係合部２２０がバイアルの胴部の断面形状に合わせて切り欠き形成されているが、この係合部が略環状に切り欠き可能に破断線で形成されて、箱にバイアルを収容するときに、バイアルの底部で平面部の破断線で囲われた部分を押圧して打抜くようにしてもよい。
その一例を図４に示している。図４に示すように、この箱形成部材Ｐ２では、環状の係合部２２１が平面部形状部Ｐ２２にバイアルの底部の押圧で破断可能に破断線Ｃ１、Ｃ２によりバイアルの胴部が嵌合可能な形状に形成されて、環状の係合部２２１が平面部２２にバイアルの押圧で打抜かれ、バイアルの胴部が嵌まり込むようになっている。この場合、この打抜き部分は平面部２２から完全に切り離されるようにしてもよいが、ここでは、係合部２２１が立ち上がり部２１の開放部２１１とは連通せずに分離され、平面部２２に略四角形で各コーナーにＲ（アール）を付けた形状をなし、４箇所の各縁部から略三角形状の押え片２２１Ｆが突出可能に、各コーナーに沿って破断線Ｃ１が形成され、これらの破断線Ｃ１に囲まれた部分の中に破断線Ｃ２が略×形に形成される。このようにしてバイアルの底部で平面部２２の破断線Ｃ１、Ｃ２で囲われた部分を押圧すると、係合部２２１の各略三角形の押え片２２１Ｆが下方に向けて切り開かれ、バイアルの胴部に圧接されるようになっている。これらの押え片２２１Ｆにより、バイアルが係合部２２１内に完全に押えられる。
また、略環状の係合部は略四角形に代えて円形であってもよく、この場合、円形の縁部から略三角形状の押え片が突出可能に、破断線が円形の破線状に形成され、この破断線で囲まれた部分の中にさらに破断線が略×形に形成される。
なお、図４に示す箱形成部材Ｐ２は仕切り２の立ち上がり部２１の開放部２１１と平面部２２の環状の係合部２２１以外の他の各形状部は図２に示す箱形成部材Ｐ１と同様であり、組み立て後の箱１、仕切り２は立ち上がり部２１の開放部２１１と平面部２２の環状の係合部２２１を除いて同様の構成となる。図４において、図２中と同一の部材には同一の符号を付してある。
このようにしても上記実施の形態と略同様の作用効果を得ることができる。
【００１８】
さらに、上記実施の形態の包装用箱Ｂは、仕切り２の略環状の係合部２２０、受け皿片２４が次のように変更可能である。
上記の実施の形態では、平面部２２に略環状の係合部２２０がバイアルの胴部の断面形状に合わせて切り欠かれており、また、受け皿片２４が正面側の底蓋片１６１に連続し、立ち上がり部２１の開放部２１０を通して、背面側の底蓋片１６２に向けて延出されているが、係合部はバイアルの首部の断面形状に合わせて形成されてもよく、受け皿片は背面側の底蓋片に連続し立ち上がり部の開放部を通して正面側の底蓋片に向けて延出可能に形成され、さらに、この受け皿片に立ち上がり部の開放部縁部に係合可能なロック爪が設けられてもよい。
その一例を図５及び図６に示している。図５に示すように、この箱形成部材Ｐ３では、仕切り２のための立ち上がり部形状部Ｐ２１の開放部２１２が正面側の底蓋片形状部Ｐ１６１側に少し入ったところから立ち上がり部形状部Ｐ２１の高さ方向に、バイアルを挿通可能に、この場合、縦方向に長い略台形に切り欠き形成される。環状の係合部２２２は平面部形状部Ｐ２２に開放部２１２に絞り部分を介して連通し、バイアルの首部に沿って係合可能に、この場合、略円弧状に形成されて、図６に示すように、平面部２２の環状の係合部２２２はバイアルの首部が係合可能になっている。これにより、バイアルは首部が略環状の係合部２２２に係合されて、その周囲の緩衝空間の緩衝作用により、外部の衝撃から保護される。
また、受け皿片形状部Ｐ２５は背面側の底蓋片形状部Ｐ１６２に連続し、組み立て状態で立ち上がり部２１の開放部２１２を通して正面側の底蓋片１６１に向けて延出可能に形成され、さらに、この受け皿片形状部Ｐ２５の一部には立ち上がり部２１の開放部２１２縁部に係合可能なロック爪２５１をなすロック爪形状部Ｐ２５１が併せて形成されて、受け皿片２５が背面側の底蓋片１６２から連続し、立ち上がり部２１の開放部２１２を通して、正面側の底蓋片１６１に向けて延出され、かつロック爪２５１が立ち上がり部２１の開放部２１２の縁部に係合されるようになっている。この場合、受け皿片２５は背面側の底蓋片１６２の端部に立ち上がり部２１の開放部２１２を通して正面側の底蓋片１６１に向けて突片状に形成され、一方の側縁部に鉤形の溝２５０が切り欠き形成されて当該側縁部の先端側にロック爪２５１が形成される。これにより、箱１の４側面１１、１２、１３、１４がワンタッチで起こされて、箱１、仕切り２がともに組み立てられたときに、ロック爪２５１が立ち上がり部２１の開放部２１２の縁部に係合されて、箱１の底蓋１６の起こされた状態が保持されて、箱１、仕切り２の組み立て後の形状が維持される。また、バイアルはバイアルの底部と箱１の底蓋１６との間に介在された受け皿片２５の緩衝作用により、外部の衝撃から保護される。
なお、図５に示す箱形成部材Ｐ３は、立ち上がり部形状部Ｐ２１の開放部２１２、平面部形状部Ｐ２２の環状の係合部２２２、及び受け皿片形状部Ｐ２５以外の各形状部は、図２に示す箱形成部材Ｐ１と同様であり、図６に示す組み立て後の箱１、仕切り２は立ち上がり部２１の開放部２１２、平面部２２の環状の係合部２２２、及び受け皿片２５を除いて、図１に示す箱１、仕切り２と同様の構成となる。図５、図６において、図２中、図１中と同一の部材には同一の符号を付してある。
このようにしても上記実施の形態と略同様の作用効果を得ることができる。
【符号の説明】
【００１９】
Ｂ  包装用箱
１  箱
１１  左側面
１１１  接着片
１２  正面
１３  右側面
１４  背面
１５  天蓋
１５１  天蓋本体
１５２  差し込み片
１５３  左側のフラップ
１５４  右側のフラップ
１６  底蓋
１６１  正面側の底蓋片
１６２  背面側の底蓋片
１６３  左側のフラップ
１６４  接着片
１６５  右側のフラップ
１６６  接着片
２  仕切り
２１  立ち上がり部
２１０、２１１、２１２  開放部
２２  平面部
２２０、２２１、２２２  略環状の係合部
２２１Ｆ  押え片
２３  固定部
２４、２５  受け皿片
２４１  圧接面
２５０  溝
２５１  ロック爪
Ｐ１、Ｐ２、Ｐ３  箱形成部材
Ｐ１１  左側面形状部
Ｐ１１１  接着片形状部
Ｐ１２  正面形状部
Ｐ１３  右側面形状部
Ｐ１４  背面形状部
Ｐ１５１  天蓋本体形状部
Ｐ１５２  差し込み片形状部
Ｐ１５３  左側のフラップ形状部
Ｐ１５４  右側のフラップ形状部
Ｐ１６１  正面側の底蓋片形状部
Ｐ１６２  背面側の底蓋片形状部
Ｐ１６３  左側のフラップ形状部
Ｐ１６４  接着片形状部
Ｐ１６５  右側のフラップ形状部
Ｐ１６６  接着片形状部
Ｐ２１  立ち上がり部形状部
Ｐ２２  平面部形状部
Ｐ２３  固定部形状部
Ｐ２４  受け皿片形状部
Ｐ２４１  圧接面形状部
Ｐ２５  受け皿片形状部
Ｐ２５１  ロック爪形状部
Ｌ１−Ｌ１８  折れ線
Ｃ、Ｃ１、Ｃ２  破断線
【図１】
2014005051.tif 000003
【図２】
2014005051.tif 000004
【図３】
2014005051.tif 000005
【図４】
2014005051.tif 000006
【図５】
2014005051.tif 000007
【図６】
2014005051.tif 000008
【図７】
2014005051.tif 000009